(57)【要約】しずくの形の液体を分配するためのディスペンサ装置。装置（１０）は、分配端に形成される分配口（１６）、および、分配端の他の部分と強く対照をなす色を有する境界ゾーン（４０）を形成することによって、分配口の位置を視覚的につきとめるための手段（４０）を含む。【選択図】図１
2014527876.tif 000002
【特許請求の範囲】
【請求項１】
しずくの形の液体を分配するためのディスペンサ装置（１０）であって、前記装置は、分配端に形成される分配口（１６）を含み、前記装置は、前記分配端の他の部分と強く対照をなす色を有する境界ゾーン（４０）を形成することによって、前記分配口の位置を視覚的につきとめるためのロケータ手段（４０）を含む点で特徴づけられ、前記装置は、エラストマ材料において形成されるしずく形成手段（１６）を含み、前記エラストマ材料は、液体流れバルブおよび、前記しずく形成手段を着色することによって得られる前記境界ゾーン（４０）を形成する、装置。
【請求項２】
前記境界ゾーン（４０）は、前記分配口（１６）の内側に形成される、請求項１に記載の装置。
【請求項３】
前記しずく形成手段は、円錐フレア形状からなる、請求項１に記載の装置。
【請求項４】
一般に実質的に円筒形状であるディスペンサ先端部（１４）を含み、前記分配端（２０）は、その中心にある前記分配口（１６）を有する一般にディスク形状を有する、請求項１〜３のいずれか１項に記載の装置。
【請求項５】
前記ディスクは、不透明色である、請求項４に記載の装置。
【請求項６】
前記先端部は、しずく分配バルブ（２２）、貯蔵部（１２）に取り付けられるバルブサポート（２４）、および前記サポートに対して前記バルブを押圧するためのキャップ（３４）を備える、請求項５に記載の装置。
【請求項７】
前記境界ゾーン（４０）は、シルクスクリーン印刷、パッド印刷、ホットマーキング、インクジェットによる印刷、またはレーザーマーキングによって形成される、請求項１〜６のいずれか１項に記載の装置。
【請求項８】
前記装置は、目に液体を分配するために構成される、請求項１〜７のいずれか１項に記載の装置。
【請求項９】
請求項１〜８のいずれか１項に記載の装置を製造する方法であって、前記境界ゾーンを形成するためにマーキングするステップ（例えば、シルクスクリーン印刷の、パッド印刷の、ホットマーキングの、インクジェットによる印刷の、またはレーザーマーキングのステップ）を含む、方法。
【発明の詳細な説明】
【技術分野】
【０００１】
本発明は、薬品分野における液体の分配、特にしずくの形の液体の分配（例えば点眼液、点鼻液、点口液、点耳液）に関する。
【背景技術】
【０００２】
「液体」という用語は、固体でなく、気体でなく、多かれ少なかれ粘性である調剤薬を示すために用いる。
【０００３】
しずくが分配される分配口（例えば、通常、白色の分配ノズルの中心でかつその端部に形成される分配口）を含むディスペンサ装置は、すでに公知である。
【０００４】
しずくを分配することが、特に目の液体を分配するときに非常に、ユーザの側の一定量の精度を必要とすることが分かっている。このように、ユーザによる不器用な動きは、ターゲットゾーンのそばにしずくを分配させることに容易につながることができる。
【発明の概要】
【発明が解決しようとする課題】
【０００５】
本発明は、ユーザがより大きな精度をともなってしずくを分配することができるディスペンサ装置を提案しようとする。
【課題を解決するための手段】
【０００６】
この目的を達成するために、本発明は、しずくの形の液体を分配するためのディスペンサ装置であって、装置は、分配端に形成される分配口を含み、装置は、分配端の他の部分と強く対照をなす色を有する境界ゾーンを形成することによって、分配口の位置を視覚的につきとめるためのロケータ手段を含む、装置を提供する。
【０００７】
境界ゾーンによって、ユーザは、分配口の位置を非常に容易に検出する。これにより、ユーザは、しずくのより良好なターゲット送給を行える。しずくが分配されるときに、装置は、目の極めて間近にあり、その結果、焦点を当てることができないかまたは順応することができなくて、装置のレリーフの部分、したがってしずくがそこから分配される位置を明確に区別することなく非常にぼやけた様子で装置を見るという事実のせいで、境界ゾーンは、目に液体（点眼液）を分配するために特に有利であることが分かる。さらに、目に数滴のしずくを連続的に分配するときに、最初のしずくを受けたあと、ユーザの視力は、さらにぼやける。
【０００８】
このように、全ての部分がそれらの間にいかなる対照もない同系色（通常、白）を有する装置を製作する代わりに、ユーザの視力がぼやけるときでも、ユーザが開口の位置をつきとめることを援助するために強い視覚の対照を形成するというアイデアを、発明者は、有する。ユーザの実験は、分配の精度が明らかに改善されることを証明した。
【０００９】
「分配口」という用語は、しずくがそこから分配される端部（好ましくは、しずくが形成されることを可能にする、そして分配端の中心でかつ上部に配置される円錐形の部分）を示すために用いると述べられなければならない。加えて、分配端の他の部分と強く対照をなす色を有する境界ゾーンは、例えば、分配端の残りの部分が少なくとも部分的に非常に淡い一方で、境界ゾーンが非常に濃いことを、または、分配端の残りの部分が少なくとも部分的に非常に濃い一方で、境界ゾーンが非常に淡いことを意味してよいことを理解すべきである。
【００１０】
本発明は、以下の特徴の１つ以上を単独でまたは組み合わせてさらに含んでよい。
境界ゾーンは、分配口の内側に形成される。特に、境界ゾーンは、しずく形成キャビティの内側に配置される濃いゾーンである。一方、しずく形成キャビティの外側のすぐ近くの周りは、淡い色に作られる。
境界ゾーンは、分配口の周りに配置される。特に、境界ゾーンは、好ましくは円錐のしずく形成キャビティによって定義される分配口にまたはその内側に配置される淡いゾーンである。一方、分配口のすぐ近くの周りは、濃い色に作られる。例えば、境界ゾーンは、分配口の周りに配置される連続のまたは不連続の着色したリングの形に作られる。着色したリングは、不連続の円形ライン（例えば、正方形、三角形、円または他の任意のパターンが円形に並ぶ）の形に不連続でもよい。
装置は、しずく形成手段を含み、境界ゾーンは、しずく形成手段を（好ましくは濃い色に）着色することによって得られる。しずく形成手段は、好ましくは円錐フレア形状からなる。有利な実施形態において、しずく形成手段は、液体流れバルブを形成するエラストマ材料において形成される。あるいは、境界ゾーンは、例えば、しずく形成手段を囲むキャップのいくらかまたは前部を濃い色に着色することによって、しずく形成手段の周りに配置される。
装置は、一般に実質的に円筒形状であるディスペンサ先端部を含み、分配端は、その中心にある分配口を有する一般にディスク形状を有する。突出する円錐ノズルとは異なり、装置の端部が、実質的に平坦で、分配口の表面と比べて比較的大きい表面の形であるときに、この実施形態は、特に非常にしずくが目の近くに分配される場合、ユーザが表面の中心に形成される分配口を区別することがより困難であるという事実のせいで、特に有利である。さらに、この種の実質的に円筒状の先端部は、装置の長手方向において比較的短くてよい。そうすると、装置がユーザの目により近いほど非常に、三次元において（より少ない陰影を示す先端部の結果として）先端部に焦点を合わせて先端部を見ること、したがって先端部を明確に見ることは、より困難になる。ロケータ手段の使用は、したがって、ユーザのための安心感を生成してよい。
ディスクは、不透明色である。換言すれば、それは非透明色（例えば、白またはいくつかの他の色、あるいはパターンをともなう）を有する。この場合、上記で提案された装置は、特に有利である。というのも、装置の上部が不透明であり、そして目の近くのその端部上に広いディスクを示すときに、ディスクが透明である場合よりも焦点合わせがより困難であるので、それはユーザのためのさらなる妨害を構成するからである。
先端部は、しずく分配バルブ、貯蔵部に取り付けられるバルブサポート、およびサポートに対してバルブを押圧するためのキャップを備え、キャップは、好ましくは境界ゾーンを担持する。例えば、キャップは、その中心に孔をあけられ、そしてサポートに対してバルブをつまむようになる環状スカートを備えるディスクの一般的形状を有する。しかしながら、ディスペンサ装置は、多くの他の形状をとることができる。特に、装置は、しずくの液体を分配するために（特に点眼液を分配するために）構成されるいかなるバルブもない装置でもあってもよい。それは、ポンプまたはバルブの形であってもよい。
境界ゾーンは、シルクスクリーン印刷、パッド印刷、ホットマーキング、インクジェットによる印刷、またはレーザーマーキングによって形成される。
装置は、目に液体を分配するために構成される。
【００１１】
本発明はまた、目に液体を分配するための上記の装置の使用を提供する。
【００１２】
本発明はまた、上記の装置を製造する方法を提供する。前記方法は、境界ゾーンを形成するためにマーキングするステップ（例えば、シルクスクリーン印刷の、パッド印刷の、ホットマーキングの、インクジェットによる印刷の、またはレーザーマーキングのステップ）を含む。
【００１３】
本発明は、図面を参照して、単に例として与えられるだけの以下の説明を読むことで、よりよく理解されることができる。
【図面の簡単な説明】
【００１４】
【図１】図１は、一実施形態における装置の斜視図である。
【図２】図２は、変形の実施形態における図１と同様の図である。
【図３】図３は、保護キャップを備える、図１の装置の長手方向断面図である。
【図４】図４は、第２の実施態様における装置の斜視図である。
【図５】図５は、図４の装置の変形の斜視図である。
【図６】図６は、図４の装置の変形の斜視図である。
【図７】図７は、図４の装置の変形の斜視図である。
【図８】図８は、図４の装置の変形の斜視図である。
【図９】図９は、図４の装置の変形の斜視図である。
【発明を実施するための形態】
【００１５】
図１は、しずくの形の液体を分配するためのディスペンサ装置１０を示す。前記装置は、貯蔵部１２を備え、貯蔵部１２上にディスペンサ先端部１４が適合され、ディスペンサ先端部１４は、図３で分かるように、保護キャップ１８が載っていてよい。
【００１６】
本実施形態において、先端部１４は、しずく形成手段１６によって定義されるしずく分配口１６が形成される上部分配端２０を示す。より正確には、本実施形態において、先端部１４は、通常、実質的に円筒形状であり、分配口１６を有するディスクの一般的形状を有する分配端２０がその中心に位置する。ディスクの一般的形状を有するこの分配端２０は、非透明色（例えば、白またはいくらかの他の無地）である。そうすると、それは、目の非常に近くにそれを持ってくるユーザにとって妨害を構成する。図３で分かるように、先端部１４は、しずく分配バルブ２２を含む。そしてそれは、（ユーザが貯蔵部１２を押圧するときに）液体の圧力下でそれが液体を通過させるための構成を引き受けるように、エラストマ材料でできている。しずく形成手段１６は、バルブ２２の端部においてエラストマ材料から直接形成される。手段１６は、円錐フレア形状である。先端部１４はまた、貯蔵部１２に取り付けられるバルブサポート２４を含む。そしてそのサポートは、バルブ２２が圧迫するシートを形成するピン２６を担持する。先端部１４はまた、部材３０によって閉じられる空気ダクト２８を含む。そしてその部材は、空気透過性であり、細菌が貯蔵部に導入されるのを防止する。先端部１４はまた、そのリキッドブロッキング構成へとバルブ２２を戻すことを可能にする戻り要素３２を含む。最後に、先端部１４は、サポート２４に対してバルブを押圧するためのキャップ３４を含む。キャップは、その中心に孔のあいた実質的に平坦なディスク形状の分配端２０を備える。ディスクは、サポート２４上に固定される外側の環状スカート３６、およびバルブ２２を案内するための内側ガイドスカートを備える。
【００１７】
図１で分かるように、装置は、分配端の他の部分と強く対照をなす色を有する境界ゾーン４０を形成することによって開口部の位置を視覚的に示すためのロケータ手段４０（本実施形態ではしずく形成手段１６と一致する）を含む。本実施形態において、境界ゾーン４０は、しずく形成手段を着色することによって分配口１６の内側に形成される。色彩は、先端部の残りの部分とは強く対照をなす。非限定的な実施形態において、しずく形成手段の見た目の色は、濃くて、おそらく青くて、一方、先端部の残りの部分は、淡くて、白である。
【００１８】
装置１０が目の近くに持ってこられるときに表面２０の残りの部分に対してそれを区別することが困難でもよいほど非常に、分配口１６は、表面２０と同じ平面において実質的に作られると述べられなければならない。境界ゾーン４０を設けることは、したがって、特に役立つ。特に、表面２０は、しずく分配口１６の表面と比べて比較的大きいと述べられることができる。表面２０は、開口部１６の領域よりも大きく、特に２倍または３倍を超える領域を有する。
【００１９】
図２の実施形態では、キャップ３４が濃い色、青であり、しずく形成手段が淡い色、白または透明である結果として、境界ゾーンは、先端部の上面２０を備える。
【００２０】
図４の実施形態において、先端部１４’は、先端部の残りの部分から明らかに突出する分配ノズルの形でそれがあるという点で、先端部１４と異なる。また、この実施形態において、装置の上面は、ノズルの上部であり、しずく分配口によってほぼ完全に構成される。この実施形態において、境界ゾーン４０は、しずく形成手段１６を濃い色にすることによって形成される。この実施形態では、しずく形成部分の全体を着色するが、一部だけを着色することはありえる。
【００２１】
非限定的な方法で、図４の装置における境界ゾーン４０のいくつかの変形は、想定されてよい。図５において、境界ゾーン４０は、濃い色に着色した半球形において分配口１６の周りに配置される。そして、分配口１６は、淡い色に作られる。図６において、境界ゾーン４０は、濃い色に着色した連続するリング形において分配口１６の周りに配置される。そして、分配口１６は、淡い色に作られる。着色したリングは、ノズルの中間部分上に、または実際、分配口のすぐ近くに形成されてよい。そうすると、着色したリングは、しずく形成手段のちょうど周辺のノズルに配置される。図７において、境界ゾーン４０は、まだ濃い色の正方形または長方形が円形に並ぶことによって、着色したリングが不連続であることを除いて、図６の境界ゾーンと類似する。図８では、図７のように、リング４０は、三角形が円形に並ぶことによって形成される不連続である。最後に、図９において、境界ゾーン４０は、濃い色の分配ノズル全体から作られる。一方で、分配口１６だけは、淡い色に作られる。
【００２２】
実施形態において、濃い色の境界ゾーンが多数染めである材料によって作られてよいと述べられなければならない。あるいは、分配端上に好ましくは濃い色を適用するために、シルクスクリーン印刷、ホットマーキング、インクジェットによる印刷、またはレーザーマーキングによって、それは、形成される。したがって、実施形態において、装置１０を製造する方法は、境界ゾーンを形成するためにマーキングするステップ（例えば、シルクスクリーン印刷の、パッド印刷の、ホットマーキングの、インクジェットによる印刷の、またはレーザーマーキングのステップ）を含む。
【００２３】
上記の装置１０は、それが目に液体を分配するために構成されるかまたは使われるときに、特に非常に有利である。
【００２４】
本発明は、上記の実施形態に制限されない。特に、ユーザの視力がぼやけるときに、ユーザが開口の位置を決めるのを援助するように、開口１６のまたは特に非常にその近くの視覚的に対照的な境界を形成するために、いかなる方法も想定されることができることを理解すべきである。
【００２５】
例証として述べられたそれら以外のディスペンサ装置に、そして特にバルブのないディスペンサ装置に、ポンプに、または実際バルブに、記載される特徴が適用されてよいと理解されることもできる。
【図１】
2014527876.tif 000003
【図２】
2014527876.tif 000004
【図３】
2014527876.tif 000005
【図４】
2014527876.tif 000006
【図５】
2014527876.tif 000007
【図６】
2014527876.tif 000008
【図７】
2014527876.tif 000009
【図８】
2014527876.tif 000010
【図９】
2014527876.tif 000011
【国際調査報告】
2014527876.tif 000012
2014527876.tif 000013
2014527876.tif 000014
2014527876.tif 000015
2014527876.tif 000016
2014527876.tif 000017